(57)【特許請求の範囲】
【請求項１】
トランスの一次巻線に流れる電流を外部パルスで駆動されるスイッチングトランジスタで断続し、前記トランスの二次巻線に発生する交流を整流して、メインコンデンサに充電電流を流すようにした他励式ストロボ用充電回路であって、前記充電電流が流れなくなった時に前記トランスの一次巻線に発生するリンギング電圧を検出することにより、前記外部パルスを前記スイッチングトランジスタがオンとなるレベルに切換え制御し、さらに、前記リンギング電圧の大きさが所定値に達しない間はあらかじめ切換え時間が設定された前記外部パルスにより前記スイッチングトランジスタを駆動するようにしたことを特徴とするストロボ用充電回路。
【請求項２】
前記スイッチングトランジスタのオン時間は入力電流が電源許容電流またはそれに近い所定値になるまでの時間であることを特徴とする１項記載のストロボ用充電回路。
【請求項３】
前記スイッチングトランジスタがオンとなるレベルを発生する前記外部パルスの時間を電源電圧に応じた長さとし、電源電圧の変動に対して入力電流のピーク値が変動しないように制御することを特徴とする１ないし２項記載のストロボ用充電回路。
【発明の詳細な説明】
【０００１】
【発明の属する技術分野】
本発明はカメラのストロボ等に用いられる充電回路に関するものである。
【０００２】
【従来技術】
図６はカメラのストロボに用いられる他励式の充電回路である。この回路はバッテリーからの入力電流ＩｂをトランスＴ１の一次巻線Ｎｐに流し、その電流をスイッチングトランジスタＱ１によりオン（ＯＮ）、オフ（ＯＦＦ）し、トランスの二次巻線Ｎｓに発生する交流をダイオードＤ１により整流してストロボ発光用メインコンデンサＣｍに供給するものである。
【０００３】
この充電回路は他励式の充電回路であるため、スイッチングトランジスタＱ１のゲートには１で示すパルス発生器が接続され、そのパルス発生器１で発生したパルスをトランジスタのゲートに供給し、トランジスタをオン、オフさせている。
【０００４】
出力側のメインコンデンサＣｍには充電量を検知するために抵抗Ｒ２、抵抗Ｒ３を設け、メインコンデンサの端子電圧を抵抗Ｒ２、抵抗Ｒ３で分圧し、抵抗Ｒ３に生じる電圧を検知し、その電圧をパルス発生器１の制御端子１ｃにフィードバックし、発生するパルスのＨレベル期間を制御している。即ち、トランジスタＱ１のオン時間を制御している。抵抗Ｒ３には並列に平滑用コンデンサＣ１が接続されている。これら抵抗は高抵抗のため流れる電流は僅かである。
【０００５】
パルス発生器１はトランジスタＱ１を駆動するためのパルスを発生させ、そのパルスをトランジスタのゲートに供給し、パルスがＨレベルの時トランジスタをオン（導通）させ、パルスがＬレベルの時トランジスタをオフ（遮断）させる。パルスの周期は一定であり、Ｈレベル期間がメインコンデンサＣｍの充電量に応じて変えられる。具体的にはメインコンデンサＣｍの充電電圧が小さい時はＨレベル期間が短く、即ち、トランジスタをオンさせる時間が短く、充電電圧が大きい時はＨレベル期間が長くなるように、即ち、トランジスタをオンさせる時間が長くなるように制御される。
【０００６】
パルス発生器１の入出力端子には３つの端子があり、１ａ端子は入力端子であり、この端子はメインコンデンサＣｍへの充電をスタートさせるためのＣｃ信号（チャージコントロール信号）が入力される。１ｂ端子は出力端子であり、発生したパルスがトランジスタＱ１に供給される。１ｃ端子は入力端子であり、前記したようにメインコンデンサＣｍの充電量に応じた検出電圧が入力される。尚、電源に関する端子は省略している。
【０００７】
このような構成の回路において、Ｃｃ（チャージコントロール）信号をＬレベルからＨレベルにすると、パルス発生器１は周期が一定なパルスを発生する。パルスは充電スタート時はＨレベル期間（トランジスタのオン時間）が短く設定され、その複数のパルスがトタンジスタＱ１のゲートに供給され、トランジスタＱ１がオン、オフされ、メインコンデンサＣｍが徐々に充電される。
【０００８】
パルス発生器１で発生するパルスのＨレベル期間は前記したようにメインコンデンサＣｍの充電電圧に応じて制御されるため、常時充電電圧を監視していて、第一の所定レベルになった段階でパルスのＨレベル期間を長くし、そのパルスをトランジスタに供給する。その結果トランジスタのオン時間が長くなり、メインコンデンサＣｍの充電電圧がアップしてゆく。
【０００９】
そして、充電電圧が第二の所定レベルになった段階でパルスのＨレベル期間をさらに長くし、そのパルスをトランジスタに供給する。そのため、トランジスタのオン時間がさらに長くなり、メインコンデンサＣｍの充電電圧が更にアップしてゆく。
【００１０】
このようなステップを繰り返してメインコンデンサＣｍの充電電圧が上昇してゆく。メインコンデンサＣｍの充電電圧は図示しない制御部に送られ、その制御部で充電完了がチェックされ、充電が完了した時に充電停止信号がパルス発生器１に送られる。具体的にはＬレベルのＣｃ信号がパルス発生器１の１ａ端子に送られ、パルスの発生が停止される。
【００１１】
次に図７のタイムチャートを用いてさらに説明する。図７（ａ）〜図７（ｄ）は全て横軸が時間であり、図７（ａ）、図７（ｂ）、図７（ｄ）の縦軸は電圧で、図７（ｃ）の縦軸は電流である。そして、各図の時間軸は同期して描かれている。
【００１２】
図７（ａ）はＣｃ（チャージコントロール）信号波形である。Ｃｃ信号は常時Ｌレベルで充電スタートさせる時にＨレベルにする。図７（ｂ）はパルス発生器１で発生するパルス（ＰＬＳ）で、このパルスは出力端子１ｂからトランジスタに供給され、Ｈレベルの時トランジスタＱ１をオンさせ、Ｌレベルの時トランジスタＱ１をオフさせる。このパルスは図示のように周期が一定のパルスでＨおよびＬレベルの期間が異なる。図ではパルスの周期はＴ、Ｈレベル期間はＴｏｎ、Ｌレベル期間はＴｏｆｆとし示されている。
【００１３】
前記したようにパルスのＴｏｎはメインコンデンサの充電電圧（充電量）に応じて変えられる。そして、Ｔｏｎを変える充電電圧の所定レベルがとびとびに設定されているため、ある期間毎にＨレベル期間が変えられる。図ではパルス発生器１がパルスを発生してからＳ１期間はＴｏｎが小、次のＳ２期間はＴｏｎが中、そして、次のＳ３期間はＴｏｎが大に設定されている。このＴｏｎの制御は前記したようにメインコンデンサＣｍの充電量が電圧で検出され、その検出電圧がパルス発生器１に送られて決められるものである。本図ではＴｏｎを３種類としているが、実際はこれより細くＴｏｎが設定され制御される。しかし、Ｔｏｎの設定を細かく設定すると回路が複雑になり高価になるので、これらの点が考慮され適宜設定されるものである。
【００１４】
図７（ｃ）は入力電流Ｉｂでこの電流はトランジスタＱ１のオン時に流れ、時間の経過とともに上昇する。そのため図７（ｂ）でＴｏｎが長い程大きな入力電流、即ち、ピークが大きな電流が流れる。図７（ｄ）はメインコンデンサＣｍの充電電圧を示し、時間の経過とともに上昇する。Ｃｃ（チャージコントロール）信号が入力され充電がスタートすると、メインコンデンサＣｍへの充電が開始され、最初パルス発生器１で発生するパルスのＴｏｎは小であり、このパルスによりメインコンデンサへの充電が開始され、時間の経過とともに充電電圧が上昇してゆく。このカーブが直線として示されているが、実際は変動しながら上昇するものである。
【００１５】
充電電圧がＰ１（１００Ｖ）に達した時、パルス発生器１で発生するパルスのＴｏｎが小から中に変更される。Ｐ２（２００Ｖ）に達した時、パルス発生器１で発生するパルスのＴｏｎが中から大に変更される。充電電圧がＰ３（３００Ｖ）に達した時、充電完了電圧に達したのでパルス発生器１は前記したようにパルスの発生を停止する。このようにしてストロボのメインコンデンサＣｍへの充電が行われている。
【００１６】
【発明が解決しようとする課題】
このような充電回路ではトランジスタＱ１に供給するパルスの周期を一定として、Ｈレベル期間を変えながら充電している。トランジスタＱ１に電流が流れ、トランスの一次巻線に電流が流れると、その電流によりトランスに電磁エネルギーが蓄積され、トランジスタがオフした時に、蓄積されたエネルギーが二次巻線から放出される。即ち、メインコンデンサＣｍに充電電流が流れる。エネルギーの放出が完了すると充電電流も流れなくなり、しばらくしてトランジスタがオンして、次のサイクルに進む。
【００１７】
本来ならトランスの蓄積エネルギーが全て放出した時点で直ぐにトランジスタをオンさせることが望ましいが、トランジスタのオン制御はパルス発生器で発生するパルスで行われており、パルス発生器はトランスの蓄積エネルギーが全て放出されたかどうかに関係なくパルスを発生させているので、トランジスタのオンするタイミングがトランスの蓄積エネルギーが全て放出されない間に行われる場合が考えられ、その場合はトランスの一次巻線に通常流れる電流に未放出の蓄積エネルギーを打ち消すための電流が上乗せされ、増加した電流が一次巻線として流れることになる。次のサイクルでも未放出のエネルギーが残っている間にトランジスタがオンするとさらに一次巻線に流れる電流が増加するという悪循環に陥り、最終的には部品が破壊する。
【００１８】
このため、トランジスタをオンさせるタイミングはどうしてもトランスのエネルギーが全て放出された後に行う必要があり、そのためトランジスタをオンさせるタイミングを設定しようとすると、トランスのエネルギーが全て放出する時間を予測し、その時間にさらに充分余裕をみてオンさせるタイミングを決める必要があり、どうしても無駄な時間が生じ、メインコンデンサの充電時間が長くなる。
【００１９】
また、入力電流の最大値はストロボの電源容量等により決められ、その最大電流を流すようにすればメインコンデンサの充電時間が短時間となるが、従来の回路では入力電流を最初小電流とし、徐々に電流を大きくしながらコンデンサを充電しているのでメインコンデンサの充電時間が長くなる。
【００２０】
また、電源電圧Ｖｂが変動すると、それに伴い入力電流も変動して、結果として充電時間が長くなる。例えば電源を電池で供給している場合、電池の消耗で電圧が低下する。電圧が低下するとトランジスタが一定時間オンしても、電圧が低下しない場合に比べて入力電流が低下する。このためメインコンデンサの充電時間が長くなる。
【００２１】
【課題を解決するための手段】
本発明は前記した従来の課題を解決するために次のように構成したものである。
【００２２】
（１）トランスの一次巻線に流れる電流を外部パルスで駆動されるスイッチングトランジスタで断続し、前記トランスの二次巻線に発生する交流を整流して、メインコンデンサに充電電流を流すようにした他励式ストロボ用充電回路であって、前記充電電流が流れなくなった時に前記トランスの一次巻線に発生するリンギング電圧を検出することにより、前記外部パルスを前記スイッチングトランジスタがオンとなるレベルに切換え制御し、さらに、前記リンギング電圧の大きさが所定値に達しない間はあらかじめ切換え時間が設定された前記外部パルスにより前記スイッチングトランジスタを駆動するようにする。
【００２３】
（２）  （１）記載のストロボ用充電回路で、前記スイッチングトランジスタのオン時間は入力電流が電源許容電流またはそれに近い所定値になるまでの時間であることを特徴とする１項記載のストロボ用充電回路。
【００２４】
（３）  （１）ないし（２）記載のストロボ用充電回路で、前記スイッチングトランジスタがオンとなるレベルを発生する前記外部パルスの時間を電源電圧に応じた長さとし、電源電圧の変動に対して入力電流のピーク値が変動しないように制御することを特徴とする１ないし２項記載のストロボ用充電回路。
【００２６】
【発明の実施の形態】
図１は本発明の実施例を示す回路図であり、図６と同様カメラにおけるストロボ用充電回路の構成例を示している。図６と同じ部品は同じ符号を付して説明する。
【００２７】
図１において、電源電圧Ｖｂのバッテリーから入力電流ＩｂがトランスＴ１の一次巻線Ｎｐに供給され、この一次巻線Ｎｐに流れる電流をスイッチングトランジスタＱ１により断続し、これによりトランスの二次巻線Ｎｓに交流電圧が発生し、その交流電圧をダイオードＤ１により整流し、負荷であるストロボ用メインコンデンサＣｍを充電する。
【００２８】
トランジスタＱ１がオンすると、電流がトランスの一次巻線に流れ、トランスＴ１にエネルギーが蓄積される。トランジスタがオフすると蓄積されたエネルギーが二次巻線を通して、メインコンデンサＣｍに充電電流として放出する。エネルギーの放出が終った時に一次巻線にリンギング電圧（振動電圧）が発生する。
【００２９】
本充電回路ではリンギング電圧を検出するためにコンパレータ３を設け、そのコンパレータ３の（＋）端子に電源電圧を抵抗Ｒ６、抵抗Ｒ７で分圧した電圧を基準電圧として入力している。（−）端子にはトランスの一次巻線が抵抗Ｒ５を介して接続され、その巻線で発生するリンギング電圧を入力している。リンギング電圧が基準電圧より大きくなった時コンパレータ３から制御信号がパルス発信器２に送られ、パルスがＬレベルからＨレベルに変わる。
【００３０】
パルス発生器２は複数の端子を持つ。２ｅ端子は制御電源電圧Ｖｃが供給される端子で定電圧が供給される。２ｆ端子は電源のＧ（グランド）に接続される。２ａ端子はＣｃ（チャージコントロール）信号が入力される端子で、ＬレベルからＨレベルに変化させることでパルス発生器２が起動されパルスが発生する。２ｂ端子はパルス発生器２で発生したパルスをトランジスタＱ１に出力する。２ｃ端子はリンギング電圧が所定レベルに達した時に発生する制御信号が入力され、パルスを強制的にＬレベルからＨレベルに切り換え、トランジスタをオンさせる。２ｄ端子は制御電源電圧ＶｃとＧの間に直列接続された抵抗Ｒ４とコンデンサＣ２との中点に接続される。
【００３１】
パルス発生器２はＨレベル期間が一定なパルスを発生し、Ｈレベル期間はコンデンサＣ２の充電時間により決められる。パルスがＬレベルになると、コンデンサＣ２の放電回路がパルス発生器の内部に形成され電荷が急速に放電する。パルスがＨレベルになると前記放電回路が切り離され、抵抗Ｒ４を通して充電電流がコンデンサＣ２に流れ、充電電圧が所定レベルに達した時にパルスがＬレベルになる。本回路では制御電源電圧Ｖｃが一定電圧のためパルスのＨレベル期間が一定になる。
【００３２】
ストロボ用メインコンデンサＣｍの充電時間は短時間ほど望ましく、短時間とするためにはスイッチングトランジスタＱ１を無駄な時間が生じないようにオン制御すること、また、電源（バッテリー）から供給される入力電流は電源容量から最大電流が決められるが、この入力電流を許される範囲で大きくすることである。
【００３３】
無駄な時間が生じないようなトランジスタのオン制御について、本充電回路では一次巻線に発生するリンギング電圧を利用することで従来回路で発生していた無駄な時間を削除している。即ち、従来回路では蓄積エネルギーが全て放出され、しばらくしてトランジスタをオンさせているので無駄な時間が発生していたが、本回路ではトランスに蓄積されたエネルギーが全て放出された時に巻線に発生するリンギング電圧を使ってトランジスタをオンさせるようにしているので無駄な時間は発生しない。
【００３４】
入力電流はトランジスタがオンした時に流れ始め、時間の経過とともに増大してゆく。増大してゆく割合は電源電圧の大きさとトランスの巻線に関係するが、電源電圧、および、トランスの巻線が決っている場合はトランジスタのオン時間にだけ関係し、オン時間が長ければ長いほど入力電流が大きくなる。
【００３５】
図１の充電回路では入力電流が許容最大電流に近い電流になるようにパルス発生器２で発生するパルスのＨレベル期間、即ちトランジスタのオン時間が決められているので、メインコンデンサＣｍを大きな電流で充電することになり充電時間が短時間で行われる。
【００３６】
図２は図１に対するタイムチャートである。図２（ａ）はＣｃ（チャージコントロール）信号でＬレベルの時パルス発生器２は停止しており、Ｈレベルで起動してパルスを発生する。図２（ｂ）はパルス発生器２で発生するパルス（ＰＬＳ）波形で、Ｈレベル期間は一定であり、Ｌレベル期間が異なる。図２（ｃ）は入力電流Ｉｂの波形で、ピーク電流Ｉｐはトランジスタのオン時間が一定のため一定電流となっている。この電流は前記したようにできる限り大きな電流に設定されている。
【００３７】
本充電回路ではリンギング電圧が発生した時点でトランジスタをオフからオンに切り換えることで無駄な時間が発生しないようにしている。リンギング電圧の大きさはいつも一定な電圧として巻線に発生するわけでなく、メインコンデンサＣｍの充電電圧（端子電圧）の大きさに影響され、メインコンデンサＣｍの充電電圧が大きい程大きな電圧が発生する。そのため、充電開始時点ではこの電圧が小さく充電が進むにつれて大きな電圧となる。充電開始時からしばらくの時間、０．５秒程度の時間であるが、この期間はリンギング電圧が小さく検出できないので、この期間はパルス発生器２から所定のパルスを発生させるようにしている。
【００３８】
この期間が図２（ｃ）でＧ１として示した期間である。この期間を過ぎたＧ２期間ではリンギング電圧が検出可能となり、リンギング電圧が検出された時にトタンジスタがオフからオンに切り換えられる。このタイミングが図２（ｂ）でＤ１〜Ｄｎとして示されている。尚、充電開始から０．５秒でどの程度メインコンデンサに充電されるか確認したところ、メインコンデンサの充電完了電圧を３００Ｖとして１０Ｖ程度である。従って、リンギング電圧が検出できない時間は充電時間全体からみればわずかな時間である。
【００３９】
以上から本充電回路ではリンギング電圧を検出して、その電圧でトランジスタをオフからオンに切り換えている。また、入力電流を出来る限り大きな電流に設定しているのでメインコンデンサを短時間で充電させることができる。発明者らは図１回路の入力電流に関して検討したところ、電源電圧Ｖｂが変動した場合に問題があることが分かった。
【００４０】
ここまで電源電圧（バッテリー電圧）を一定として説明してきたが、バッテリーは放電等により電源電圧が変動する。図３に電源電圧Ｖｂが１０Ｖ、５Ｖ、２．５Ｖに変動した場合の入力電流を電圧と対比して示している。図３（ａ）はパルス発生器２で発生するパルス波形、図３（ｂ）は電源電圧Ｖｂが１０Ｖの時の入力電流波形でピーク電圧がＩｐ１、図３（ｃ）は電源電圧Ｖｂが５Ｖの時の入力電流波形でピーク電圧がＩｐ２、図３（ｄ）は電源電圧Ｖｂが２．５Ｖの時の入力電流波形でピーク電圧がＩｐ３である。
【００４１】
図示のように入力電流の大きさは  Ｉｐ１＞Ｉｐ２＞Ｉｐ３  の関係があり、電源電圧が低下すると入力電流も低下し、充電時間も影響される。即ち、電源電圧が低くなると充電時間が長くなる。そこで発明者らは電源電圧が変動しても入力電流が変化しない方法がないかさらに検討したところ、図１で抵抗Ｒ４の＋側を定電圧電源（制御電源電圧Ｖｃ）に接続しているが、図４に示すように抵抗Ｒ４の＋側を電源電圧Ｖｂに接続すれば、電源電圧が変動しても入力電流があまり変化しないことが分かった。
【００４２】
図４ではパルス発生器で発生するパルスのＨレベル期間は電源電圧Ｖｂが高くなると短く、電源電圧が低くなると長くなる。それは前記したようにトランジスタを駆動するパルスのＨレベル期間は抵抗Ｒ４とコンデンサＣ２により決まり、抵抗Ｒ４からの充電電流でコンデンサＣ２を充電してゆき、所定レベルまで充電する時間がＨレベル期間である。コンデンサＣ２の充電電流の大きさは電源電圧Ｖｂに対応しているため、電源電圧が高くなると充電電流が大きくなり、短時間に所定レベルまで充電するのでＨレベル期間が短くなり、反対に電源電圧が低くなるとＨレベル期間が長くなる。
【００４３】
Ｈレベル期間と入力電流の関係について図５を用いて説明する。図５（ａ），図５（ｂ）は電源電圧が１０Ｖの時パルス発生器２で発生するパルス、及び、入力電流を示し、図５（ｂ）から入力電流のピーク値はＩｐ４である。図５（ｃ）、図５（ｄ）は電源電圧が５Ｖの時パルス発生器２で発生するパルス、及び、入力電流であり、パルスのＨレベル期間は電源電圧が１０Ｖ時のＨレベル期間より長くなっている。それは電源電圧の低下により、コンデンサＣ２の充電電流が低下し充電カーブが緩やかになるため、所定レベルの電圧に達するまでの時間が長くかかることになり、Ｈレベル期間が長くなる。従って、電源電圧の低下により入力電流の上昇カーブが緩やかであっても、トランジスタがオンしている時間が長いため入力電流のピーク値ＩＰ５は１０Ｖの時の入力電流のピーク値Ｉｐ４にほぼ近い値となる。
【００４４】
図５（ｅ）、図５（ｆ）は電源電圧が２．５Ｖの時パルス発生器２で発生するパルス、及び、入力電流であり、パルスのＨレベル期間は電源電圧が５Ｖ時のＨレベル期間よりさらに長くなっている。そして、入力電流の上昇カーブも電源電圧が５Ｖの時よりさらに緩やかになっているが、トランジスタのオン時間がさらに長くなっているので、入力電流のピーク値Ｉｐ６は１０Ｖの時の入力電流のピーク値Ｉｐ４にほぼ近い値となる。従って、電源電圧が変動しても入力電流のピーク値がほぼ同じ値となり、メインコンデンサへの充電時間のバラツキも少なく短時間で充電できる。
【００４５】
【発明の効果】
以上説明したように従来の周期が一定の他励式ストロボ用メインコンデンサの充電回路では充電スタートしてから、スイッチングトランジスタのオン時間をメインコンデンサの充電電圧に応じて短から長に切換えながら充電していた。そして、このオン時間の切換え制御には無駄な時間があり充電時間が長くかかっていたが、本発明の充電回路ではトランジスタがオフした後、トランスの蓄積エネルギーが二次巻線を通してメインコンデンサＣｍに充電電流として放出され、放出が終了した時点で一次巻線に発生するリンギング電圧を使って直ちにトランジスタをオンさせるようにしたので無駄な時間がなくなり短時間で充電できるようになる。
【００４６】
また、従来の充電回路ではメインコンデンサの充電電圧に応じて入力電流を小電流から徐々に大電流へと変えながら充電していたので充電効率が悪く短時間の充電ができなかったが、本発明の回路では入力電流をいつも電源許容電流に近い値に設定しているので短時間で充電できるようになる。
【００４７】
また、図１でも電源電圧の変動に対して入力電流が変動して充電効率が低下するという問題について、本発明では電源電圧の変動に対応して、トランジスタのオン時間を変えるようにしているので、入力電流のピーク値に変動がなく短時間で充電できるようになる。即ち、電源電圧が低下すればトランジスタのオン時間を長く、反対に電源電圧が高くなればトランジスタのオン時間を短く制御するため、電源電圧が変動しても、入力電流のピーク値に変動がなく短時間で充電できるようになる。
【図面の簡単な説明】
【図１】本発明のストロボ用充電回路
【図２】図１回路のタイムチャート（各部の波形）
【図３】図１回路で電源電圧が変動したときのトランジスタ駆動パルスと入力電流の波形
【図４】図１回路を電源電圧の変動に対して充電効率が低下しないように改良した充電回路
【図５】図４回路で電源電圧が変動したときの駆動パルスと入力電流の波形
【図６】従来のストロボ用充電回路
【図７】図６回路のタイムチャート（各部の波形）
【符号の説明】
１                メインコンデンサの充電電圧に応じてパルスが制御されるパルス発生器
２                リンギング電圧の検出によりパルスが制御されるパルス発生器
３                リンギング電圧を検出するためのコンパレータ
Ｔ１              トランス
Ｎｐ              トランスの一次巻線
Ｎｓ              トランスの二次巻線
Ｑ１              スイッチングトランジスタ
Ｃｍ              メインコンデンサ
Ｃ１，Ｃ２        コンデンサ
Ｄ１              ダイオード
Ｒ１〜Ｒ７        抵抗
Ｖｂ              電源電圧
Ｖｃ              制御電源電圧
Ｉｂ              入力電流
Ｉｐ１〜Ｉｐ６    入力電流のピーク値
Ｃｃ              チャージコントロール信号
Ｇ                グランド
ＰＬＳ            パルス発生器で発生するトランジスタ駆動パルス（外部パルス）
Ｔ                駆動パルスの周期
Ｔｏｎ            駆動パルスのＨレベル期間
Ｔｏｆｆ          駆動パルスのＬレベル期間
【図１】
0004109844.tif 000002
【図２】
0004109844.tif 000003
【図３】
0004109844.tif 000004
【図４】
0004109844.tif 000005
【図５】
0004109844.tif 000006
【図６】
0004109844.tif 000007
【図７】
0004109844.tif 000008